(57)【要約】【課題】  複数の記録装置で大判プリントする場合、境界のオーバラップ部分に画像処理を施すとしても、固定的な方法では、記録速度、記録画像の記録密度、被記録媒体の種類によって、画像濃度が異なる等、必ずしも良好な画質を得ることができない。【解決手段】  複数の記録装置によって被記録媒体に画像を記録可能な記録システムの制御方法であって、隣接する記録装置のオーバラップ領域を記録媒体幅方向に増減でき、更にこの領域へのインク打ち込み量（記録画素数）を変更できるようにした。【選択図】    図２
2009160745.tif 000002
【特許請求の範囲】
【請求項１】
記録媒体を搬送する搬送手段と、搬送中の前記記録媒体に画像を記録する複数の記録装置を有する記録システムにおいて、
前記複数の記録装置は、前記記録媒体の幅方向に互いに画像記録するオーバラップ領域をもち、
前記オーバラップ領域を変更するオーバラップ領域変更手段をさらに有することを特徴とする記録システム。
【請求項２】
前記オーバラップ領域を前記記録媒体の幅方向に変更することを特徴とする請求項１に記載の記録システム。
【請求項３】
前記オーバラップ領域への前記複数の記録装置からのインク滴着弾の時間的な差に基き、前記オーバラップ領域への記録画素数を変更することを特徴とする請求項２に記載の記録システム。
【発明の詳細な説明】
【技術分野】
【０００１】
本発明は、複数の記録装置を用いて１枚の記録媒体上に記録を行なう記録システムに関するものである。
【背景技術】
【０００２】
現在、カラー記録の容易性、高速性、静粛性等の利点から、プリンタ、複写機、ファクシミリ等の画像形成装置では記録媒体に対してインク滴を吐出して画像を形成するインクジェット記録方式を採用したものが広く普及している。
【０００３】
フルカラーの画像を記録するためには、通常、イエロー（Ｙ）、マゼンタ（Ｍ）、シアン（Ｃ）、およびブラック（Ｋ）のインクを吐出するための４つのインクジェット記録ヘッドを各記録装置に配置する。
【０００４】
従来、複数の記録ヘッドにより相互に重複するオーバラップ領域を設けて、このオーバラップ領域に画像処理を施す技術が開示されている（特許文献１参照）。
【０００５】
【特許文献１】特開２００２−２１０９４２号公報
【発明の開示】
【発明が解決しようとする課題】
【０００６】
ところで、業務用等の記録システムでは、所定幅のラインヘッドを有する記録装置を複数組み合わせて利用することにより、大判の記録幅に対応できるものが検討されている。
【０００７】
このような記録システムでは、被記録媒体に記録する場合、特許文献１に開示されているようなオーバラップ部分に画像処理を施すとしても、固定的な方法では、記録速度、記録画像の記録密度、被記録媒体の種類によって、オーバラップ領域の画像濃度等が異なり、必ずしも一定した画質を得ることができないことがある。
【０００８】
そこで、本発明は、複数の記録装置を用いて大判の記録媒体上に記録を行なう記録システムにおいて、記録速度、記録画像の記録密度、被記録媒体の種類等、種々の条件によってオーバラップ領域の画質を、一定に保つ事を目的とする。
【課題を解決するための手段】
【０００９】
上記目的を達成する為に、
本発明は、記録媒体を搬送する搬送手段と、搬送中の前記記録媒体に画像を記録する複数の記録装置を有し、前記記録媒体の幅方向に互いに画像記録するオーバラップ領域をもち、前記オーバラップ領域を変更できるようにした。
【００１０】
又、本発明の記録システムは、前記オーバラップ領域への記録画素数を増減できるようにした。
【発明の効果】
【００１１】
本発明によれば、記録速度、記録画像の記録密度、被記録媒体の種類によって、記録装置間のオーバラップ領域の画質を、一定に保つ事が可能となる。
【発明を実施するための最良の形態】
【００１２】
以下、本発明の好適な実施の形態について図面を参照しながら詳細に説明する。
【００１３】
図１は、本発明の一実施の形態に係る記録システム全体の構成を示す図である。
【００１４】
本発明の記録（印刷）システム２００は、複数の記録（印刷）装置１１６ａ〜１１６ｎとこれらに共通の媒体搬送装置１１７とにより構成される。記録（印刷）システム２００は情報処理装置１００に接続され、情報処理装置１００からの指示に従って記録を行う。本明細書において、「記録（印刷）システム」という用語は狭義には情報処理装置１００を含まないものであるが、広義には情報処理装置１００を含みうるものとする。
【００１５】
図１において、ＣＰＵ１０１は、情報処理装置１００全般のシステム制御を掌る中央演
算装置である。このＣＰＵ１０１は、オペレーティングシステム（Ｏｐｅｒａｔｉｎｇ  
Ｓｙｓｔｅｍ）の制御下で、画像形成するアプリケーションや本発明に係る画像分割プロ
グラム、記録装置相互の境界部分、すなわちつなぎ部分の補正処理を行うプログラム、複数の記録装置の制御プログラム（デバイスドライバ）等を実行する。
【００１６】
ＣＰＵ１０１のシステムバスは、ローカルバスとして例えばＰＣＩバス、及びＩＳＡバスと、ホスト／ＰＣＩブリッジ１０２、及びＰＣＩ／ＩＳＡブリッジ１０５を経由した階層的なバスを介して各種ハードウェアに接続される。
【００１７】
システムバスにはキャッシュメモリ１２０を構成するＳＲＡＭ(Static Random Access 
Memory)を使用した高速のメモリを持ち、ＣＰＵ１０１が常時アクセスできるような、コ
ード、データを記憶する。
【００１８】
ＰＣＩバスに接続されたビデオコントローラ１０６は、表示メモリであるＶＲＡＭ１０
７に書き込まれたＲＧＢの表示データを連続的、且つ継続的に呼び出し、ＣＲＴ(Cathode Ray Tube)、ＬＣＤ(Liquid Crystal Display)、ＰＤＰ(Plasma Display Panel)等のディスプレイ（表示装置）１０８に画面リフレッシュ信号として継続的に転送する。
【００１９】
複数の記録装置１１６ａ〜１１６ｎは、ＰＣＩバスに接続された通信インタフェース
１０９を介して、情報処理装置１００に接続される。この通信インタフェースとしては
、例えばＩＥＥＥ１２８４（双方向セントロニクス）、ＵＳＢ(Universal Serial Bus)、
ネットワーク等を利用することができる。
【００２０】
本実施の形態では、有線タイプのインタフェース１０９を使用しているが、無線ＬＡＮ等の通信インタフェースでも構わない。
【００２１】
ＰＣＩバスにはＰＣＩ／ＩＳＡブリッジ１０５を介してＩＳＡバスが接続されている。
ＩＳＡバスには、ＲＯＭ１１２，ＥＥＰＲＯＭ１１３、ＦＤＤ１１０、ＣＤＤ１１１、キ
ーボード１１４、マウス１１５が接続されている。ＲＯＭ１１２は、入出力回路を介して
接続されるキーボード１１４、マウス１１５、ＣＤＤ１１１やＦＤＤ１１０等の入出力機
器を制御するＢＩＯＳ(Basic Input Output System)プログラム、パワーＯＮ時の初期化
、自己診断プログラムなどを格納する不揮発性の再書き込み可能なメモリである。ＥＥＰＲＯＭ(Electronic Erasable Read Only Memory)１１３は恒久的に利用する各種の変更可能なパラメータを記憶する。
【００２２】
ＰＣＩ／ＩＳＡブリッジ１０５に接続されたハードディスクドライブ（ＨＤＤ）１０４
は、各種プログラムやデータを不揮発的に格納する大容量の外部記憶装置である。
【００２３】
メインメモリ１０３は、オペレーティングシステム、本発明によるアプリケーションプ
ログラム、複数の記録装置１１６ａ〜１１６ｎ用プリンタドライバ等（ｎは２以上の整数
）、実行プログラムの一時的記憶領域、且つ、各プログラム実行のための作業用メモリ領域として用いられる。これらの実行プログラムは例えばＨＤＤ１０４から読み出されるものである。
【００２４】
画像の記録動作は、ＨＤＤ１０４に格納されている記録プログラムがメインメモリ１０
３にロードされ、このプログラムをＣＰＵ１０１が実行することによって実現される。
【００２５】
記録プログラムは、本実施の形態において、情報処理装置１００に接続されているｎ台の記録装置１１６ａ〜１１６ｎ（ｎは２以上の整数：すなわち１ページの画像を分割する分割数）を設定する手段と、各記録装置１１６ａ〜１１６ｎが記録する記録領域（分割幅）を設定する手段と、各記録装置が記録幅方向のどの部分の画像を分担するかを示す記録担当部の関連付け設定手段を構成する。これらの各種設定手段によって設定された内容をもとに１ページの画像を分割し各々の記録装置１１６ａ〜１１６ｎへの記録データを転送し記録を行う。
【００２６】
このように、記録プログラムは複数の記録装置１１６ａ〜１１６ｎに対して記録データ
の生成および記録データの転送処理を行う。そのために、プログラム自身、または記録プログラム内の記録データ生成処理および記録データ転送処理を並列（マルチプロセス、マルチスレッド）に動作させることにより、高速に処理できる。
【００２７】
次に図２に、本実施の形態における記録システムの概略的な斜視図を示す。
【００２８】
情報処理装置１００と複数（図では５台）の記録（印刷）装置１１６ａ〜１１６ｅおよび搬送装置１１７は、それぞれ、通信インタフェースの一例としてのＵＳＢケーブル２０１で接続され、情報処理装置１００から各々の記録データ、動作開始、終了コマンド等の転送を行う。なお、記録装置の台数は５台に限るものではない。
【００２９】
各記録装置１１６ａ〜１１６ｅと搬送装置１１７は図示しないケーブルで記録媒体の頭
出しや搬送速度と記録を同期させるための信号を授受する。
【００３０】
各記録装置１１６ａ〜１１６ｅは、例えば記録幅約４インチの記録ヘッドを各々４本（
Ｋ、Ｃ、Ｍ、Ｙ）有する。本実施の形態では従って記録幅最大２０インチのカラー画像の
連続的な記録が可能である。
【００３１】
ここでＫ、Ｃ、Ｍ、Ｙは記録するインクの色でＫ：ブラック、Ｃ：シアン、Ｍ：マゼン
タ、Ｙ：イエローを示す。
【００３２】
各記録装置１１６ａ〜１１６ｅへのインクは共通のインクタンク２０３Ｋ〜２０３Ｙか
らインクチューブ２０４を介して供給する。
【００３３】
このように記録（印刷）システム２００として、複数の独立した記録装置を用いることにより、
１個の記録装置の記録幅を単位記録幅（例えば４インチ）として、利用する記録装置の個数を変えて、種々の用紙幅に対応した記録システムを構成できる。また、個々の記録装置の故障や不具合が発生したときには、当該記録装置のみを交換することができる。そのため、システム全体が大きくなってもメンテナンスコストは比較的小さくできる。
【００３４】
図３に、図１の記録システム２００の一部である記録装置１１６ａの構成例を示す。ま
た、情報処理装置１００と媒体搬送装置１１７とを併せて示す。記録装置１１６ｂ〜１１
６ｅの各々の構成は記録装置１１６ａと同じである。
【００３５】
ＣＰＵ２１０はこの記録装置１１６ａの全体の動作を制御する制御部を構成し、バスを
介してメモリコントローラ２１２、インタフェースコントローラ２１３、プログラムＲＯ
Ｍ２１４、ワークＲＡＭ２１５、ＥＥＰＲＯＭ２１６、記録ヘッド制御回路２１９、Ｉ／
Ｏポート２２１と接続されている。
【００３６】
メモリコントローラ２１２は、記録データを格納するメモリであるＶＲＡＭ２１１に接
続され、ＣＰＵ２１０の制御下でＶＲＡＭ２１１への記録データの書き込みを行うととも
に、同期化回路２１７からの出力信号に同期してＶＲＡＭ２１１からの読み出しを行う。
同期化回路２１７は、媒体搬送装置１１７での記録媒体の搬送状態に同期してメモリコントローラ２１２への信号を生成する機能を有する。
【００３７】
インタフェースコントローラ２１３は、ＣＰＵ２１０の制御下で、情報処理装置１００
と通信インタフェース（図ではＵＳＢの例）を介してデータ通信を行う。
【００３８】
プログラムＲＯＭ２１４は、この記録装置１１６ａの動作を実現するためのプログラムを格納した不揮発性のメモリである。ワークＲＡＭ２１５は、ＣＰＵ２１０
により利用されるワーク領域やデータの一時記憶領域を提供する読み書き可能なメモリで
ある。ＥＥＰＲＯＭ２１６は、再書き込み可能な不揮発性のメモリであり、例えばユーザ
の設定データなどを不揮発的に記録するために利用される。
【００３９】
記録ヘッド制御回路２１９は、ＣＰＵ２１０の制御下で、メモリコントローラ２１２か
らの記録データを受信し、ＣＭＹＫの各色の記録ヘッド２２０へ対応する記録データを転送する。      
Ｉ／Ｏポート２２１は、ＣＰＵ２１０の制御下で、モータ駆動部２２２に制御信号を与
えて、キャッピングモータ２２３やポンプモータ２２４のような外部の出力装置を制御す
る。キャッピングモータ２２３は、不使用時に記録ヘッド２２０にキャップをしてインク
の乾燥を防ぐための機構を駆動する動力源である。ポンプモータ２２４は記録ヘッド中の
インクに圧力を掛けて記録ヘッドの回復動作等を行うための動力源である。
【００４０】
図４は、本実施の形態における記録装置１１６ａ〜１１６ｅの記録ヘッド間のオーバー
ラップしている各つなぎ部分（つなぎ１〜５）において、記録データと論理積がとられる
マスクパターンを設定するためのユーザインタフェース手段を構成するマスク設定画面３００の一例を示している。マスクパターンは、両記録ヘッドの各吐出口からのインクの吐出を許容するか否かを設定するドットパターンであり、インク色毎に選択できるように構成されている。このマスク設定画面３００は、記録プログラムを有する情報処理装置１００のディスプレイ１０８に表示される。
【００４１】
プルダウンメニュー３０１はマスクパターンを適用するインク色をユーザに選択させるためのメニューである。表示欄３０２は、複数の記録装置によって記録される時のつなぎ部分の位置をユーザに知らしめるために明示的に示した画像を表示する領域である。
【００４２】
メニューリスト欄３０３ａ〜３０３ｅは、各つなぎ部分について、ユーザが選択可能なマスクパターンのリスト（選択肢）を提示する表示欄である。
【００４３】
ここで選択できるインクの色とは、各記録装置１１６ａ〜１１６ｎに備えられている４
本のヘッドのインクＫ：ブラック、Ｃ：シアン、Ｍ：マゼンタ、Ｙ：イエローと、全色共
通（４色のインク全て選択）である。
【００４４】
情報処理装置１００が保持しているマスクパターンは、各記録装置間のつなぎ部分に対して全て同じパターンを設定することも可能であるし、個々の記録装置間に応じて独立にマスクパターンを設定することも可能である。
【００４５】
マスクパターンのデータは情報処理装置１００に保持しているが、記録装置側で保持していても構わない。マスクパターンによる記録データのマスク処理は情報処理装置１００内で実行する。この代わりにマスク処理を記録装置側で行うことも可能である。この場合全マスクパターンのデータは各記録装置内の記憶装置（例えば２１４、２１５、２１６等）に予め格納しておき、情報処理装置１００側から使用するマスクパターンセットを指定する情報を記録要求とともに各記録装置へ通知する。或いは、マスクパターンのデータをその都度、記録装置へ転送するようにすることも可能である。
【００４６】
隣接する記録装置の一方に適用されるマスクパターンと他方に適用されるマスクパターンの組であるマスクパターンセットは、隣接する記録装置の位置関係の変化に対応して用意され、位置関係の変化があっても当該位置関係に適合したマスクパターンの組が選択されたとき、一方の記録装置の記録ヘッドのオーバラップ部分の記録と他方の記録装置の記録ヘッドの前記オーバラップ部分の記録が互いに補完しあうことを想定している。
「補完しあう」とは、記録媒体上でオーバラップ部分の記録結果において両記録装置（ヘッド）による記録ドットの重複や欠落部分がないことを意味する。
【００４７】
ＯＫボタン３０４はメニューリスト欄３０３ａ〜３０３ｅで選択されたマスクパターン
を記録装置間のつなぎ部分に適用することを決定するための画面上の指示部である。
【００４８】
キャンセルボタン３０５はマスク設定画面においてユーザが設定内容をＯＫボタンで確定する前にその設定内容をキャンセルするための画面上の指示部である。
【００４９】
図５ａは矢印搬送方向に搬送される記録媒体２０６に記録装置１１６ａ〜１１６ｅによって画像４１０が連続的に描かれている様子を概念的に示したものである。
【００５０】
記録媒体２０６は記録動作中、ほぼ定速度で矢印方向に搬送される。各記録装置１１６ａ〜１１６ｅは夫々Ｋ，Ｃ，Ｍ，Ｙ、４色のラインヘッドを有する（Ｋ：ブラック、Ｃ：シアン、Ｍ：マゼンタ、Ｙ：イエロー）。
【００５１】
記録幅方向の４箇所のオーバラップ領域の内、図左側に位置する記録装置１１６ａ、１１６ｂのオーバラップ領域４００を拡大したものを図５ｂに示す。
【００５２】
拡大したオーバラップ領域４０１は、先ず搬送方向上流側に位置する記録装置１１６ｂで市松模様に間引きした画像を記録、そして残りの市松模様を下流側の記録装置１１６ａで補完して記録する。
【００５３】
図５ａに対して更に進化した記録システムの例を図５ｃにて説明する。
【００５４】
記録装置１１６ａ〜１１６ｅに加えて、記録媒体２０６の搬送方向下流側に記録装置５１６ａ〜５１６ｅが配置される。
【００５５】
記録媒体２０６は記録動作中、やはり定速度で搬送され、画像５１０が連続的に記録される。このようなシステムでは上流側の記録装置１１６ａ〜１１６ｅにて奇数ラスタ（ライン）を担当し、残りの偶数ラスタを下流側の記録装置５１６ａ〜５１６ｅで補完するようにすれば、同じ記録性能の記録ヘッドであれば、図５ａに比較し搬送速度を約２倍に高めることができる。このように複数組配置すれば、一方の組が回復動作のため記録動作を停止しても、もう一方の組で記録動作は継続できる。
【００５６】
この場合、オーバラップ領域５００に着目すると記録が完了する迄の搬送方向上のスパンが長くなり、搬送速度次第で最上流側記録装置１１６ｂからのインク滴着弾から最下流側記録装置５１６ａからのインク滴着弾迄の時間差は大きくなる。
【００５７】
前述図５ａにおいて、本発明に関わるオーバラップ領域４０１部分の画像処理方法を図６ａ以降に詳しく説明する。尚、本実施例の場合、オーバラップ領域４０１だけでなく他のオーバラップ領域に関しても同様の処理が為される。
【００５８】
図６ａでは搬送方向上流側記録装置１１６ｂと下流側記録装置１１６ａとの幅方向のオーバラップ領域４０１は１６ドット分に設計されている。記録装置の各記録ヘッドのインクを吐出するノズル列の記録分解能を６００ [ dpi ] （dpi：dot／inch）とすれば、
上記オーバラップ領域の実寸法は約０.６８ [ mm ] に相当する。
【００５９】
図６ａではオーバラップ領域を２つの記録装置で市松模様に間引きし、相互に補完しているが、画像の境界部分を目立たせなくする為の基本的な処理といえる。
【００６０】
上記オーバラップ領域は一般的には広い方が良い記録結果が得られるが、本発明の実施例の如くラインプリンタ方式の記録システムでは、全体の記録幅に少なからず影響がでるので、仕様の面からいえば、むしろオーバラップ領域は狭い方が最大記録幅を広くとれる。
【００６１】
記録画像の全体的な濃度、種類（バリエーション）に着目すると、
次の図６ｂではオーバラップ領域を１２ドット分とし、更に
次の図６ｃではオーバラップ領域を、８ドット分に減らしている。
【００６２】
逆に図６ｄではオーバラップ領域を２４ドット分に増加している。写真画像等をヘビーコートでない用紙に記録するような場合に適しているが、この場合でもオーバラップ領域の実寸法は約１ [ mm ] にすぎない。
【００６３】
続いて、図７ａ〜７ｃは図６ａの場合に比較してオーバラップ領域への打ち込み量（記録画素数）を増加した例を示す。浸透性の高い用紙に高密度な画像の境界処理には使える可能性がある。
【００６４】
図７ａは、７０１〜７０３の列方向（搬送方向）に打ち込み量を追加した。
【００６５】
図７ｂは、７０４〜７０８の列方向（搬送方向）に打ち込み量を追加した。
【００６６】
図７ｃは、７０９〜７１６の列方向（搬送方向）に打ち込み量を追加した。
【００６７】
尚、打ち込み量（記録画素数）追加といっても、これらはベタパターンの画像で初めて追加されるのであって、原画像データの『印字あり』とＡＮＤ条件が成立して追加されることはいうまでもない。
【００６８】
次に、図８ａ、８ｂでは図６ａの場合に比較してオーバラップ領域への打ち込み量（記録画素数）を減らした例を示す。浸透性の低い用紙の境界処理に適する。
【００６９】
図８ａは、８０１〜８０３の列方向（搬送方向）の打ち込み量を減らし、
図８ｂは、８０４〜８１１の列方向（搬送方向）の打ち込み量を減らした。
【００７０】
図８ａ、図８ｂの説明に関連して複数の記録装置による記録タイミングの違いから予測されるインクの動きを図９にて詳細に説明する。
【００７１】
記録媒体２０６に対して搬送方向上流側の記録装置から吐出されたインク滴９０１、９０２が着弾後の様子を図９ａに示す。
【００７２】
そして、その後下流側の記録装置からのインク滴９０３、９０４が着弾し、図９ｂの如く９０３ａ、９０４ａのように浸透する。
【００７３】
更に図９ｃに示すように各インク滴は９０１ｂ〜9０４ｂの如く定着状態に近づくが、着弾時間のずれから、浸透したインク滴９０２ｂと９０３ｂの間に僅かながら濃度が高めになるスジを生じる可能性がある。
【００７４】
本発明の実施例の如く高速性を追求するラインプリンタでは、通常インク滴の着弾時間のずれ（間隔）は数１００[ msec ] 以内と短く、上記問題は顕在化しにくいが、インクの定着性を考慮して搬送路を長く設計したり、記録媒体の搬送速度を小さく設定したり、或いは搬送方向に記録装置を数台以上タンデムに並べて動作する場合等、着弾時間の差が大きくなると、上記色スジが目立ってくることも考えられる。
【００７５】
従って、図８ａ、図８ｂで述べた打ち込み量を減らす方法も有効である。
【００７６】
本発明を実施した記録システムにおけるＣＰＵ１０１の動作フローを図１０にて説明する。
【００７７】
媒体搬送装置１１７による搬送速度が４００[ mm／sec ]以上に設定されているかを判定、もし否なら（Ｓ１００１でＮｏ）、次に搬送速度が２００[ mm／sec ]以上かを判定、否なら（Ｓ１００２でＮｏ）、続いて搬送速度が１００[ mm／sec ]以上かを判定、これも否であれば（Ｓ１００３でＮｏ）、図８ｂによる間引きパターンを選択する。
【００７８】
Ｓ１００１でＹｅｓなら、記録画素数を微増する（図７ａ）。
【００７９】
Ｓ１００２でＹｅｓなら、記録画素数の補正はしない。
【００８０】
Ｓ１００３でＹｅｓなら、図８ａによる間引きパターンを選択する。
【００８１】
上記フローによる判定は既に説明した如く、搬送方向最上流側の記録装置で記録してから、最下流側の記録装置で記録する迄の時間に対応していることに他ならない。
【産業上の利用可能性】
【００８２】
本発明は主として複数の記録装置を用いた大判、高速、且つ高画質の記録システムに利用可能である。
【図面の簡単な説明】
【００８３】
【図１】本発明を実施した記録システム全体の構成を示す図である。
【図２】本発明を実施した記録システムの概略的な斜視図である。
【図３】記録システムを構成する記録装置の電気的なブロック図である。
【図４】オーバラップ領域のマスク設定画面の一例を示す図である。
【図５ａ】本発明を実施した記録システムで画像記録するイメージ図である。
【図５ｂ】図５ａにおけるオーバラップ領域を拡大した図である。
【図５ｃ】図５ａから進化した記録システムで画像記録するイメージ図である。
【図６ａ】図５ａにおけるオーバラップ領域の画像処理方法を示す図である。
【図６ｂ】オーバラップ領域を狭めた場合の一例を示す図である。
【図６ｃ】オーバラップ領域を狭めた場合の一例を示す図である。
【図６ｄ】オーバラップ領域を広げた場合の一例を示す図である。
【図７ａ】オーバラップ領域への打ち込み量を増加した一例を示す図である。
【図７ｂ】オーバラップ領域への打ち込み量を増加した一例を示す図である。
【図７ｃ】オーバラップ領域への打ち込み量を増加した一例を示す図である。
【図８ａ】オーバラップ領域への打ち込み量を減らした一例を示す図である。
【図８ｂ】オーバラップ領域への打ち込み量を減らした一例を示す図である。
【図９】記録タイミングのずれから生じるスジ発生を説明する図である。
【図１０】本発明による記録システムの動作フローである。
【符号の説明】
【００８４】
１００  情報処理装置
１０８  ディスプレイ
１１６  記録装置
１１７  媒体搬送装置
２０６  記録媒体
２１０  ＣＰＵ
２２０  記録ヘッド
４００  オーバラップ領域
４１０  画像
５００  オーバラップ領域
５１０  画像
９０１
〜９０４  インク滴
９０５  色スジ
【図１】
2009160745.tif 000003
【図２】
2009160745.tif 000004
【図３】
2009160745.tif 000005
【図４】
2009160745.tif 000006
【図５ａ】
2009160745.tif 000007
【図５ｂ】
2009160745.tif 000008
【図５ｃ】
2009160745.tif 000009
【図６ａ】
2009160745.tif 000010
【図６ｂ】
2009160745.tif 000011
【図６ｃ】
2009160745.tif 000012
【図６ｄ】
2009160745.tif 000013
【図７ａ】
2009160745.tif 000014
【図７ｂ】
2009160745.tif 000015
【図７ｃ】
2009160745.tif 000016
【図８ａ】
2009160745.tif 000017
【図８ｂ】
2009160745.tif 000018
【図９】
2009160745.tif 000019
【図１０】
2009160745.tif 000020